(57)【特許請求の範囲】
【請求項１】
レンズと、
前記レンズの外周側に配置され、前記レンズを支持する枠部と、
前記枠部と一体に形成され、前記枠部から前記レンズの光軸と略直角に交差する方向に延在して設けられた柄と、
前記レンズの光軸方向から見て、前記枠部および前記柄の外形形状の外周側に全周に亘って設けられた弾性部材とを有し、
前記枠部および柄は、前記レンズを挟んで前記光軸の一方側に配置された第１部材と前記光軸の他方側に配置された第２部材とから構成され、前記第１部材と前記第２部材とは前記光軸方向に対向し、前記弾性部材は前記第１部材と前記第２部材とによって前記光軸の一方側および他方側から挟み込まれることで前記第１部材および前記第２部材に固定されていることを特徴とするルーペ。
【請求項２】
前記弾性部材は、前記第１部材と前記第２部材とを互いに組み付ける際の案内となっており、前記第１部材および前記第２部材は、組み付け状態において前記弾性部材によって位置決めされていることを特徴とする請求項１に記載のルーペ。
【請求項３】
レンズと、
前記レンズの外周側に配置され、前記レンズを支持する枠部と、
前記枠部と一体に形成され、前記枠部から前記レンズの光軸と略直角に交差する方向に延在して設けられた柄と、
前記レンズの光軸方向から見て、前記枠部および前記柄の外形形状の外周側に全周に亘って設けられた弾性部材とを有し、
前記レンズは前記弾性部材によっても支持され、前記弾性部材は前記レンズに対する衝撃緩衝部材であることを特徴とするルーペ。
【請求項４】
レンズと、
前記レンズの外周側に配置され、前記レンズを支持する枠部と、
前記枠部と一体に形成され、前記枠部から前記レンズの光軸と略直角に交差する方向に延在して設けられた柄と、
前記レンズの光軸方向から見て、前記枠部および前記柄の外形形状の外周側に全周に亘って設けられた弾性部材とを有し、
前記柄には観察対象物を照明するための照明装置が設けられ、前記弾性部材には前記照明装置の電源部を保持するための電源部保持部と前記照明装置の回路基板を保持するための回路基板保持部とがそれぞれ前記弾性部材の一部として形成され、前記電源部および前記回路基板は前記弾性部材によって保持され、前記弾性部材は前記電源部および前記回路基板に対する衝撃緩衝部材であることを特徴とするルーペ。  
【発明の詳細な説明】
【技術分野】
【０００１】
本発明は、観察対象物を拡大して見るためのルーペに関する。
【背景技術】
【０００２】
従来、ルーペは、凸レンズを保持する保持枠に柄が設けられ、この柄を手で握り、レンズが観察対象物と目との間の適切な位置となるようにルーペを支持して、観察対象物を拡大して見るためのものである（例えば、特許文献１参照）。
【０００３】
このようなルーペの柄は、レンズの厚さおよび柄の大きさの制約から、厚さ、幅ともに１５ｍｍ程度の細いものである。また、レンズの周囲の枠は、観察対象物に対する視界をできるだけ遮らないことが求められ、より幅の薄いものが望ましい。
【０００４】
このような事情から、ルーペの枠は木材、金属、プラスチック等の素材に、例えば塗装、メッキ等の厚さの薄い表面処理を施したものとなっている。
【先行技術文献】
【特許文献】
【０００５】
【特許文献１】特開２００４−５３７８７号公報
【発明の概要】
【発明が解決しようとする課題】
【０００６】
従来のルーペは、柄の部分に滑り止めのチューブ状のゴムをかぶせたものがある。これは実用度は高いが、ゴムでは質感、感触が悪いと敬遠するユーザーもいる。そこで柄の部分の材質としてプラスチック、木などの別の材質を選択する場合、特許文献１のように、滑り止め用の部材を特に設けていないもの、あるいは、レンズが水平となるようにした状態で、柄のレンズに近い位置の上側および下側面にゴムを設けたものがある。しかし、実際にルーペを用いる場合、柄を上から握るように持つと、親指と人差し指はゴムを設けていない柄の側面部分で当該柄を挟み持ち、残りの指はゴムを設けていない柄の先端部側を握ることが多い。このように、滑り止め用のゴムが設けてあっても、実際に使用する状況によっては滑り止め機能を充分に発揮していないという問題がある。
【０００７】
本発明はこのような状況に鑑みてなされたものであり、様々な持ち方に対応可能な、充分な滑り止め機能を備えたルーペを提供することを課題とする。
【課題を解決するための手段】
【０００８】
上記目的を達成するために、本発明に係るルーペは、レンズと、前記レンズの外周側に配置され、前記レンズを支持する枠部と、前記枠部と一体に形成され、前記枠部から前記レンズの光軸と略直角に交差する方向に延在して設けられた柄と、前記レンズの光軸方向から見て、前記枠部および前記柄の外形形状の外周側に全周に亘って設けられた弾性部材とを有し、前記枠部および柄は、前記レンズを挟んで前記光軸の一方側に配置された第１部材と前記光軸の他方側に配置された第２部材とから構成され、前記第１部材と前記第２部材とは前記光軸方向に対向し、前記弾性部材は前記第１部材と前記第２部材とによって前記光軸の一方側および他方側から挟み込まれることで前記第１部材および前記第２部材に固定されていることを特徴とする。
また、本発明に係るルーペは、レンズと、前記レンズの外周側に配置され、前記レンズを支持する枠部と、前記枠部と一体に形成され、前記枠部から前記レンズの光軸と略直角に交差する方向に延在して設けられた柄と、前記レンズの光軸方向から見て、前記枠部および前記柄の外形形状の外周側に全周に亘って設けられた弾性部材とを有し、前記レンズは前記弾性部材によっても支持され、前記弾性部材は前記レンズに対する衝撃緩衝部材であることを特徴とする。
また、本発明に係るルーペは、レンズと、前記レンズの外周側に配置され、前記レンズを支持する枠部と、前記枠部と一体に形成され、前記枠部から前記レンズの光軸と略直角に交差する方向に延在して設けられた柄と、前記レンズの光軸方向から見て、前記枠部および前記柄の外形形状の外周側に全周に亘って設けられた弾性部材とを有し、前記柄には観察対象物を照明するための照明装置が設けられ、前記弾性部材には前記照明装置の電源部を保持するための電源部保持部と前記照明装置の回路基板を保持するための回路基板保持部とがそれぞれ前記弾性部材の一部として形成され、前記電源部および前記回路基板は前記弾性部材によって保持され、前記弾性部材は前記電源部および前記回路基板に対する衝撃緩衝部材であることを特徴とする。  
【発明の効果】
【０００９】
本発明によれば、様々な持ち方に対応可能な、充分な滑り止め機能を備えたルーペを提供することができる。
【図面の簡単な説明】
【００１０】
【図１】第１実施形態に係るルーペの平面図である。
【図２】レンズの平面図である。
【図３】レンズの外周部近傍の断面図であり、（ａ）はレンズの突出部が形成された部分（図１のＡ−Ａ線）の断面を示し、（ｂ）はレンズの突出部が形成されていない部分（図１のＢ−Ｂ線）の断面を示している。
【図４】（ａ）は柄の部分（図１のＣ−Ｃ線）の断面図であり、（ｂ）は（ａ）の円Ｓで囲まれた部分の拡大図である。
【図５】（ａ）は第１枠部材の平面図であり、（ｂ）は（ａ）の部分拡大図である。
【図６】（ａ）は弾性部材の平面図であり、（ｂ）は（ａ）の部分拡大図である。
【図７】弾性部材を内側から見た状態を示す模式図であり、（ａ）は図６（ａ）の矢印Ｐ方向から見たレンズ側部分の辺部の状態を示し、（ｂ）は図６（ａ）の矢印Ｑ方向から見た柄の部分の状態を示している。
【図８】（ａ）は、上側の第２枠部材を取り外した状態のルーペの平面図であり、（ｂ）は（ａ）の部分拡大図である。
【図９】弾性部材にレンズの突出部が支持されている状態を示す模式図であり、(ａ)は弾性部材の内側から見た状態を示し、（ｂ）は（ａ）の矢印Ｘ方向から見た状態を示している。
【図１０】（ａ）は第２実施形態に係るルーペの弾性部材の平面図であり、（ｂ）は（ａ）の部分拡大図である。
【図１１】（ａ）は第２実施形態に係るルーペの上側の第２枠部材を取り外した状態の平面図であり、（ｂ）は（ａ）の部分拡大図である。
【図１２】第３実施形態に係るルーペの上側の第２枠部材を取り外した状態の平面図である。
【図１３】内周部の形状の例を示す模式図であり、（ａ）は弾性部材の内側から見た状態を示し、（ｂ）は（ａ）の矢印Ｙ方向から見た状態を示している。
【発明を実施するための形態】
【００１１】
以下、本発明の実施形態について図面を参照しつつ説明する。なお、以下の説明においては、枠については、レンズの光軸方向を厚さ方向とし、光軸と直角に交差する方向を幅方向とする。また、柄については、レンズの光軸方向を厚さ方向とし、柄の長手方向および光軸方向と直角に交差する方向を幅方向とする。
【００１２】
（第１実施形態）
図１は第１実施形態に係るルーペの平面図である。また、図２はレンズの平面図である。
【００１３】
本実施形態に係るルーペ１は、図１に示すように、レンズ４と、レンズ４の外周側に配置され、レンズ４を保持する枠７と、枠７から直線状に延在して設けられた柄１０と、枠７および柄１０の外周側に設けられた弾性部材１３とから構成されている。レンズ４は略矩形で、例えばアクリル樹脂からなる凸レンズである。レンズ４の外周側には、図２に示すように、光軸と直角に交差する方向に突出する突出部１６が形成されている。突出部１６は矩形のレンズ４の３つの辺に形成され、各辺の中央部に形成されている。レンズ４は略矩形に形成された枠７の内周側に保持されている。枠７の一部はレンズ４の光軸と略直角に交差する方向に直線状に延在して、柄１０を形成している。枠７と柄１０とは一体に形成されている。枠７の厚さ、すなわちレンズ４の光軸方向の寸法は、レンズ４の厚さよりも大きく形成されている。
【００１４】
弾性部材１３は、光軸方向から見て枠７および柄１０の外形形状の外周側、すなわちルーペ１の外形形状の外周側の全周に亘って設けられている。言い換えると、枠７および柄１０の光軸と平行方向の面の全周に亘って設けられている。本実施形態においては、弾性部材１３は、手で握ったときの滑り止めとして適した材料であるシリコンゴムで構成されている。
【００１５】
図３はレンズ４の外周部近傍の断面図であり、（ａ）はレンズ４の突出部１６が形成された部分（図１のＡ−Ａ線）の断面を示し、（ｂ）はレンズ４の突出部１６が形成されていない部分（図１のＢ−Ｂ線）の断面を示している。また、図４（ａ）は柄１０の部分（図１のＣ−Ｃ線）の断面図であり、（ｂ）は（ａ）の円Ｓで囲まれた部分の拡大図である。
【００１６】
枠７および柄１０は、図３各図および図４（ａ）に示すように、レンズ４の光軸方向の一方側に配置される第１枠部材１９と、光軸方向の他方側に配置される第２枠部材２２とから構成されている。第１枠部材１９と第２枠部材２２とは、レンズ４を挟んで光軸方向に対向している。なお、以下の説明においては、ルーペ１をレンズ４が水平となるようにした状態として説明する。その際、光軸方向の一方側をレンズ４の下方側とし、光軸方向の他方側をレンズ４の上方側とする。
【００１７】
図５（ａ）は第１枠部材１９の平面図であり、（ｂ）は（ａ）の部分拡大図である。
第１枠部材１９は、図３〜図５の各図に示すように、光軸と直角に交差する方向に延在する底面部２５と、底面部２５から光軸方向すなわち第２枠部材２２の方向に突出する内側リブ２８および外側リブ３１とから構成されている。底面部２５は、光軸方向から見て、レンズ４の外周形状に沿った枠状の矩形部３４と、矩形部３４から光軸と直角に交差する方向の一方向に直線状に延在する延在部３７とから構成されている。矩形部３４と延在部３７とは同一の平面上に形成されている。延在部３７は略長方形の平板であり、ルーペ１の柄１０を構成する部分である。内側リブ２８および外側リブ３１は底面部２５の外形形状に沿って形成され、光軸と直角に交差する方向に二重となるように形成されている。
【００１８】
矩形部３４側の内側リブ２８は矩形部３４の内周側縁部に全周に亘って形成されている。延在部３７側の内側リブ２８は、延在部３７の外周側縁部から少し内側の位置に、延在部３７の外形形状に沿って形成され、矩形部３４側で矩形部３４に形成された内側リブ２８と連結している。従って、内側リブ２８の外周面２９は、第１枠部材１９全体の外形形状に沿って全周に亘って連続している。
【００１９】
外側リブ３１は、内側リブ２８の外側で、かつ底面部２５の外周側縁部よりも内側の位置に形成されている。外側リブ３１は、内側リブ２８の外周面２９に沿って配置された複数の小リブ４０によって構成されている。各小リブ４０は、内側リブ２８と平行に形成され、各小リブ４０の内側面４１は内側リブ２８の外周面２９と所定の間隔を空けて対向している。また、隣り合う小リブ４０、４０間には所定の間隔が空いている。従って、外側リブ３１を光軸方向から見ると、図５に示すように、各小リブ４０が破線を形成するように配置されている。矩形部３４の内側リブ２８の光軸方向の寸法は外側リブ３１の光軸方向の寸法よりも小さく形成され、柄１０の部分の内側リブ２８の光軸方向の寸法は外側リブ３１の光軸方向の寸法と同じ寸法に形成されている。
【００２０】
底面部２５の外周側縁部は、内側リブ２８および外側リブ３１が形成されていない方の稜線部に、図４（ｂ）に示すように、外方に僅かに突出した爪部４３が形成されている。爪部４３は稜線部にそって延在して形成され、爪部４３の先端部は第２枠部材２２の方向に伸びている。爪部４３の内側の面と底面部２５の外周側縁部の端面とで楔形状部４６が形成されている。
【００２１】
第２枠部材２２は、第１枠部材１９と光軸方向に対向して対称の形状に形成されている。すなわち、第２枠部材２２は、底面部２５´と、底面部２５´から第１枠部材１９の方向に突出する内側リブ２８´および外側リブ３１´とから構成されている。外側リブ３１´は、複数の小リブ４０´から構成されている。そして、レンズ４を挟んだ状態で、第１枠部材１９の内側リブ２８の端面と第２枠部材２２の内側リブ２８´の端面とが対向し、第１枠部材１９の各小リブ４０の端面と第２枠部材２２の各小リブ４０´の端面とが対向するように形成されている。また、底面部２５´の外周側縁部には、第１枠部材１９と同様に、楔形状部４６´（図示省略）が形成されている。
【００２２】
図６（ａ）は弾性部材１３の平面図であり、（ｂ）は（ａ）の部分拡大図である。
弾性部材１３は、図６各図に示すように、光軸方向から見た枠７および柄１０の外形形状に沿った形状の外周部４９と、外周部４９の内側に外周部４９と平行に周方向に配置された複数の内周部５２と、外周部４９と各内周部５２とを連結する複数の連結部５５とから構成されている。外周部４９は枠７および柄１０の外形形状に沿って全周に亘って形成されている。外周部４９の内側面５０と内周部５２の外側面５３との間には所定の間隔が空いている。外周部４９は、枠７の外周側に全周に亘って配置される。外周部４９の厚さは枠７の厚さと同等の寸法に形成されている。つまり、外周部４９の厚さは、第１枠部材１９と第２枠部材２２とが対向して組み付けられた状態において、第１枠部材１９の底面部２５の外周側端面と第２枠部材２２の底面部２５´の外周側端面とを外側からほぼ覆うことが出来る厚さに形成されている。外周部４９の内側面５０には、図３各図および図４（ａ）に示すように、厚さ方向の中央部に凸部５８が形成されている。凸部５８は周方向に延在して全周に亘って形成されている。
【００２３】
各連結部５５は外周部４９の凸部５８から内側に突出して形成されている。各連結部５５は、第１枠部材１９と第２枠部材２２とが組み付けられた状態において、第１枠部材１９の隣り合う小リブ４０と４０との間の位置に対応する位置、または第２枠部材２２の隣り合う小リブ４０´と４０´との間の位置に対応する位置に形成されている。
【００２４】
内周部５２は、各連結部５５の内側端部に形成され、外周部４９と平行な板状に形成されている。内周部５２の厚さは、内側リブ２８の外周面２９と外側リブ３１の各小リブ４０の内側面４１との間隔に対応した寸法となっている。また、外周部４９の内側面５０と内周部５２の外側面５３との間隔は、外側リブ３１を構成する小リブ４０の厚さに対応した寸法となっている。
【００２５】
図７は、弾性部材１３を内側から見た状態を示す模式図であり、（ａ）は図６（ａ）の矢印Ｐ方向から見たレンズ４側部分の辺部の状態を示し、（ｂ）は図６（ａ）の矢印Ｑ方向から見た柄１０の部分の状態を示している。
【００２６】
図７（ａ）に示すように、弾性部材１３のレンズ４側の辺部は、該辺部に形成された複数の内周部５２、５２のうち、中央部の３つの内周部５２ａ、５２ｂ、５２ｃが外周部４９の光軸方向の一方側すなわち下側と、光軸方向の他方側すなわち上側とに互い違いに形成されている。本実施形態においては、中央の内周部５２ｂが下側に、中央の内周部５２ｂの両側の内周部５２ａ、５２ｃが上側に形成されている。中央の内周部５２ｂの上側端面は、外周部４９の光軸方向中央部よりも下側に位置し、両側の内周部５２ａ、５２ｃの下側端面は、外周部４９の光軸方向中央部よりも上側に位置している。図示は省略するが、他の辺部も略同様の構成である。また、柄１０の部分の内周部５２は、図７（ｂ）に示すように、略方形の板状に形成されている。
【００２７】
第１枠部材１９と第２枠部材２２とは、各内側リブ２８、２８´の対向する端面同士、および各外側リブ３１、３１´の小リブ４０、４０´の対向する端面同士が接着されることにより互いに固定される。第１枠部材１９および第２枠部材２２がこのように接着されてルーペ１の枠７および枠７と一体の柄１０が形成される。内側リブ２８、２８´の対向する端面同士および外側リブ３１、３１´の対向する端面同士の接着は、超音波溶着によってでも良いし、接着剤によってでも良い。
【００２８】
レンズ４は第１枠部材１９と第２枠部材２２とによって、光軸方向の下側と上側とから挟み込まれて支持されている。具体的には、図３（ａ）、（ｂ）に示すように、第１枠部材１９の矩形部３４側の内側リブ２８の端面と、第２枠部材２２の矩形部３４´側の内側リブ２８´の端面とによって、レンズ４の外周側が光軸方向の下側と上側とから挟み込まれている。
【００２９】
図８（ａ）は、上側の第２枠部材２２を取り外した状態のルーペ１の平面図であり、（ｂ）は（ａ）の部分拡大図である。また、図９は、弾性部材１３にレンズ４の突出部１６が支持されている状態を示す模式図であり、(ａ)は弾性部材１３の内側から見た状態を示し、（ｂ）は光軸方向、すなわち（ａ）の矢印Ｘ方向から見た状態を示している。
【００３０】
弾性部材１３は、第１枠部材１９と第２枠部材２２とによって光軸方向の下側と上側とから串刺し状に挟み込まれている。具体的には、弾性部材１３の連結部５５は、図８各図に示すように、第１枠部材１９の外側リブ３１の隣り合う小リブ４０と小リブ４０との間、または、図示はしないが、第２枠部材２２の外側リブ３１´の隣り合う小リブ４０´と小リブ４０´との間にそれぞれ嵌め込まれ、内周部５２は、図３、図４および図８の各図に示すように、第１枠部材１９の外側リブ３１と内側リブ２８との間、または第２枠部材２２の外側リブ３１´と内側リブ２８´との間に嵌め込まれている。また図３、図４および図８の各図に示すように、内周部５２の内側面５４は、第１枠部材１９の内側リブ２８の外周面２９または第２枠部材２２の内側リブ２８´の外周面２９´に接触している。そして、内周部５２の外側面５３は第１枠部材１９の外側リブ３１の内側面、すなわち小リブ４０の内側面４１、または第２枠部材２２の外側リブ３１´の内側面、すなわち小リブ４０´の内側面４１´に接触している。弾性部材１３はこのように挟み込まれることで第１枠部材１９および第２枠部材２２に固定されている。
【００３１】
弾性部材１３の外周部４９は、内側面５０の凸部５８が第１枠部材１９の外側リブ３１の外側面３２および第２枠部材２２の外側リブ３１´の外側面３２´に接触して、外側リブ３１、３１´の外側に配置される。詳細には、図３各図および図４（ａ）に示すように、凸部５８が第１枠部材１９および第２枠部材２２の各外側リブ３１、３１´を構成する小リブ４０、４０´の外周面３２、３２´と、第１枠部材１９の底面部２５および第２枠部材２２の底面部２５´の各外周側縁部の光軸方向に対向する面とで形成される空間に嵌め込まれている。また、外周部４９は、縁部が、図４（ｂ）に示すように、第１枠部材１９および第２枠部材２２の各底面部２５、２５´の外周側縁部に形成された楔形状部４６、４６´（４６´は図示省略）に食い込んで配置されている。
【００３２】
このような構成により、弾性部材１３の外周部４９は枠７あるいは柄１０から剥がれたり浮いたりしにくい構成になっている。弾性部材１３は接着力の弱いシリコンゴムで構成されているが、上述したように第１枠部材１９と第２枠部材２２とによって挟み込まれることでこれら枠部材１９、２２に固定されるので、弾性部材１３をこれら枠部材１９、２２に接着する必要がない。
【００３３】
また、レンズ４は弾性部材１３によっても支持されている。具体的には、レンズ４は、図７（ａ）に示す内周部５２ａ、５２ｂ、５２ｃによって支持されている。すなわち、図３（ａ）および図９（ａ）、（ｂ）に示すように、各突出部１６が下側の内周部５２ｂの上側の端面と、上側の内周部５２ａ、５２ｃの下側の端面とによって、光軸方向の下側および上側から互い違いに支持される。レンズ４はこのように弾性部材１３によって挟まれて支持されているので、ガタつきが抑制されている。
【００３４】
このような構成のルーペ１の組立ては以下のように行う。まず、弾性部材１３の内側に、レンズ４の各突出部１６が内周部５２に支持されるようにレンズ４を配置する。次にこれらレンズ４および弾性部材１３を、第１枠部材１９および第２枠部材２２で光軸方向から挟み込む。このとき、弾性部材１３は第１枠部材１９および第２枠部材２２を組み付けるための案内となっており、組み付け状態において、第１枠部材１９および第２枠部材２２は弾性部材１３によって位置決めされている。つまり第１枠部材１９を、弾性部材１３の連結部５５が外側リブ３１の隣り合う小リブ４０と４０との間にそれぞれ嵌め込まれ、内周部５２が外側リブ３１と内側リブ２８との間に嵌め込まれるように組み付け、第２枠部材２２も同様に組み付ける。また、外周部４９は、内側面５０の凸部５８を第１枠部材１９および第２枠部材２２の各外側リブ３１、３１´の外側面３２、３２´と、第１枠部材１９および第２枠部材２２の各外周側縁部の光軸方向に対向する面とで形成される空間に嵌め込み、さらに縁部を第１枠部材１９および第２枠部材２２の底面部２５、２５´に形成された楔形状部４６、４６´に食い込ませて配置する。こうして第１枠部材および第２枠部材が弾性部材１３によって案内されて組み付けられ、位置決めされる。その後、第１枠部材１９と第２枠部材２２とを超音波溶着する。なお、第１枠部材１９と第２枠部材２２との接着に接着剤を用いるのであれば、弾性部材１３を挟み込む前に内側リブ２８、２８´および外側リブ３１、３１´の端部に予め接着剤を塗布しておく。
【００３５】
こうして、弾性部材１３が、光軸方向から見て枠７および柄１０の外形形状の外周側に全周に亘って設けられているルーペ１を構成することが出来る。
【００３６】
このように、本実施形態に係るルーペ１は、弾性部材１３を第１枠部材１９および第２枠部材２２で光軸方向に挟み込む構成となっているので、弾性部材１３と各枠部材１９、２２とを接着する必要がなく、組立てが容易である。また、レンズ４および柄１０の全周に亘る弾性部材１３は、柄１０の側面部すなわち光軸と平行方向の面の全面に配置されることとなり、柄１０を握る際に高い滑り止め効果を発揮する。例えば読書をする場合においても、柄１０を持つ手は必ず弾性部材１３に当接し、読書の途中でルーペ１を持ち直したり、あるいは落下させたりしてしまうことを防止できる。このように様々な柄の持ち方に対応して、滑り止め効果を発揮する。
【００３７】
さらに弾性部材１３は、レンズ４側の枠７に直接衝撃が加わることを防止するためのバンパーとして機能する。従って本実施形態に係るルーペ１は落下に対する耐衝撃性が向上している。すなわち、誤ってルーペ１を落下させてしまった場合であっても、レンズ４、枠７、および柄１０に直接衝撃が加わることを防止できる。これにより、レンズ４の破損を防止することが出来る。
【００３８】
また、弾性部材１３の縁部は枠部材１９、２２の楔形状部４６、４６´に食い込んで設けられているので、使用中に弾性部材１３が剥がれにくいという効果も発揮している。さらに、第１枠部材１９と第２枠部材２２との接着面が弾性部材１３によって覆われるので、該接着面に手が触れることがなく、手触りを損なうことがない。
【００３９】
また、本実施形態においては、内側リブ２８、２８´および外側リブ３１、３１´の厚さはそれぞれ１ｍｍ程度の寸法で形成されている。従って、枠７の幅と弾性部材１３の幅とを合計した幅寸法は４〜５ｍｍ程度となる。この程度の幅であれば、観察対象物に対する視界を大きく遮ることはなく、充分に薄い寸法である。
【００４０】
（第２実施形態）
次に第２実施形態について説明する。
【００４１】
第２実施形態は第１実施形態と略同様であるが、弾性部材の構成が異なっている。第２実施形態では第１実施形態と異なる構成を中心に説明し、第１実施形態と同様の構成については同じ符号を用いて説明する。
【００４２】
図１０（ａ）は第２実施形態に係るルーペ１の弾性部材１１３の平面図であり、（ｂ）は（ａ）の部分拡大図である。また、図１１（ａ）は第２実施形態に係るルーペ１の上側の第２枠部材２２を取り外した状態の平面図であり、（ｂ）は（ａ）の部分拡大図である。
【００４３】
本実施形態の弾性部材１１３の内周部１５２は、外周部４９の内側面に沿って、外周部４９の形状よりも一回り小さい形状に形成されている。すなわち、内周部１５２は周方向に全周に亘って形成されている。他の構成は第１実施形態と同様である。
【００４４】
このような構成とすることで、第１枠部材１９および第２枠部材２２と弾性部材１１３との接触面が増し、弾性部材１１３と各枠部材１９、２２との係合をより強固にすることが出来る。他の効果は第１実施形態と同様である。
【００４５】
（第３実施形態）
次に第３実施形態について説明する。
【００４６】
第３実施形態は第２実施形態と略同様であるが、弾性部材の構成が異なっている。第３実施形態では第２実施形態と異なる構成を中心に説明し、同様の構成については同じ符号を用いて説明する。
【００４７】
図１２は、第３実施形態に係るルーペ１の上側の第２枠部材２２を取り外した状態の平面図である。
【００４８】
本実施形態の弾性部材２１３は、柄１０のレンズ４近傍に照明用のＬＥＤ６１が内蔵されている。ＬＥＤ６１は光軸方向に光が照射されるように取付けられている。ＬＥＤ６１が取付けられている部分は、第１枠部材１９の延在部３７にＬＥＤ６１からの光を通すための貫通孔６４が設けられている。
【００４９】
弾性部材２１３の柄１０の部分の内側には、ＬＥＤ照明装置の回路基板を取付けて保持するための回路基板保持部６７と、ＬＥＤ照明装置の電源である乾電池を保持するための乾電池保持部７０とが形成されている。乾電池保持部７０には乾電池の電極に接触する金具（図示省略）が取付けられている。回路基板保持部６７および乾電池保持部７０は、それぞれ弾性部材２１３の内側面と連続して形成されている。つまり弾性部材２１３の一部として弾性部材２１３と一体に形成されている。回路基板保持部６７は弾性部材２１３の柄１０の基部近傍の内側に形成された板状部材である。回路基板保持部６７は、これに取付けられる回路基板への衝撃を和らげるダンパとしても機能している。また、乾電池保持部７０は弾性部材２１３の柄１０の端部に形成された板状部材であり、表面には乾電池の本体のカーブに沿った曲面が形成されている。従って、乾電池保持部７０は、乾電池を入れる際のガイドであると同時に、乾電池への衝撃を和らげるためのダンパとしても機能している。
【００５０】
回路基板保持部６７に取付けられる回路基板は、弾性部材２１３の内周部１５２によっても支持される。すなわち、弾性部材２１３の柄１０の部分の内周部１５２は、回路基板が配置される位置に対応する部分が第１実施形態で説明した図７（ａ）と同様の形状に形成されている。従って、回路基板は図９（ａ）および（ｂ）に示すように複数の内周部１５２によって光軸方向の下側および上側から互い違いに支持される。回路基板は弾性部材２１３によってこのように支持されるため、ガタつきが抑制され、かつ衝撃からも守られることとなる。
【００５１】
柄１０の端部には、ＬＥＤ６１用の乾電池を出し入れするための貫通孔７３が設けられている。貫通孔７３は第１枠部材１９、第２枠部材２２および弾性部材２１３を貫通して設けられている。貫通孔７３は装填した乾電池が落下しないように蓋（図示省略）をすることが出来るようになっている。また、柄１０の側面には、ＬＥＤ６１を点灯および消灯するためのスイッチ７６が設けられている。
【００５２】
このように、本実施形態に係る弾性部材２１３は、照明装置を備えたルーペに対応できる構成となっている。そして回路基板保持部６７および乾電池保持部７０、さらに、照明装置を備えるために必要な貫通孔６４、７３も、外周部４９および内周部１５２と一体で形成することが出来るので、製作工程およびコストの削減をすることが可能となっている。他の効果は第１および第２実施形態と同様である。
【００５３】
以上で各実施形態の説明を終えるが、本発明は上記実施形態に限定されず適宜変更が可能である。例えば、各実施形態において、弾性部材の内周部の形状を異なるものとしても良い。図１３はレンズ４側の内周部の形状の例を示す模式図であり、（ａ）は弾性部材の内側から見た状態を示し、（ｂ）は（ａ）の矢印Ｙから見た状態を示している。この例の場合も、レンズ４の突出部１６は、図１３各図に示すように各内周部２５２によって光軸方向の上側および下側から互い違いに支持されている。なお、レンズ４の突出部１６は光軸方向の上側および下側から互い違いに支持されなくても良い。つまり、光軸方向の上側および下側から同時に挟むように支持しても良い。また、レンズ４の突出部１６は矩形の対向する２辺に設けても良いし、４辺に設けても良い。また、レンズ４の形状を円形としても良いし、レンズ４の材質も限定はされない。
【符号の説明】
【００５４】
１  ルーペ
４  レンズ
７  枠
１０  柄
１３、１１３、２１３  弾性部材
１６  突出部
１９  第１枠部材
２２  第２枠部材
２５  底面部
２８  内側リブ
３１  外側リブ
３４  矩形部
３７  延在部
４０  小リブ
４３  爪部
４６  楔形状部
４９  外周部
５２、１５２  内周部
５５  連結部
５８  凸部
６１  ＬＥＤ
６４  （ＬＥＤ用）貫通孔
６７  回路基板保持部
７０  乾電池保持部
７３  （乾電池用）貫通孔
７６  スイッチ
【図１】
0005923317.tif 000002
【図２】
0005923317.tif 000003
【図３】
0005923317.tif 000004
【図４】
0005923317.tif 000005
【図５】
0005923317.tif 000006
【図６】
0005923317.tif 000007
【図７】
0005923317.tif 000008
【図８】
0005923317.tif 000009
【図９】
0005923317.tif 000010
【図１０】
0005923317.tif 000011
【図１１】
0005923317.tif 000012
【図１２】
0005923317.tif 000013
【図１３】
0005923317.tif 000014